(57)【要約】【課題】マルチプルなビデオ信号を同時に入力し、複数の表示装置に出力してビデオ信号の分配と共有の機能を達成するマルチプルビデオ信号整合スイッチャを提供する。【解決手段】電源開閉器、複数の入力ポート、複数の出力ポートを設け、且つ制御回路、電源回路、コンバート回路、複数のマルチプレクス回路、複数のバランス回路を含み、該電源開閉器、入力ポート、出力ポートに電気的に接続する制御ユニットを有し、該電源開閉器、電源回路が該制御回路に直接接続し、該コンバート回路、マルチプレクス回路、バランス回路がそれぞれ該制御回路と電気的に接続し、該入力ポート、コンバート回路が該マルチプレクス回路に電気的に接続し、該出力ポートとバランス回路が電気的に接続し、該コンバート回路が該入力ポートと該マルチプレクス回路との間に位置するように構成される。【選択図】図３
0003119348.tif 000002
【実用新案登録請求の範囲】
【請求項１】
ビデオ信号切替器と、ビデオ信号分配器とを一体に整合してなり、電源開閉器と、複数の入力ポートと、複数の出力ポートとを設け、且つ該電源開閉器と、該入力ポートと、該出力ポートとに電気的に接続する制御ユニットを設けてなり、
該制御ユニットが、制御回路と、電源回路と、コンバート回路と、複数のマルチプレクス回路と、複数のバランス回路とを含んでなり、
該電源開閉器と、該電源回路とが、該制御回路に直接接続し、該電源開閉器のスイッチングによって該電源回路が起動され、該制御回路が作動する場合に必要とする電力を提供し、
該コンバート回路と、該マルチプレクス回路と、該バランス回路とが、それぞれ該制御回路にと電気的に接続し、該入力ポートと、該コンバート回路が、該マルチプレクス回路に電気的に接続し、該出力ポートと該バランス回路とが、電気的に接続し、該コンバート回路が、該入力ポートと該マルチプレクス回路との間に位置することを特徴とするマルチプルビデオ信号整合スイッチャ。
【請求項２】
前記制御回路に、該整合スイッチャの外部に凸設される少なくとも一以上の発光ユニットが、電気的に接続することを特徴とする請求項１に記載のマルチプルビデオ信号整合スイッチャ。
【請求項３】
前記発光ユニットが発光ダイオードであることを特徴とする請求項２に記載のマルチプルビデオ信号整合スイッチャ。
【請求項４】
前記整合スイッチャが、該制御ユニットに電気的に接続して、ビデオ信号の切替モード、もしくは共有モードを選択するための少なくとも一以上のファンクションキーを具えることを特徴とする請求項１に記載のマルチプルビデオ信号整合スイッチャ。
【請求項５】
前記入力ポートにＤＶＤプレーヤー、パーソナルコンピュータ等のデバイスを接続することを特徴とする請求項１に記載のマルチプルビデオ信号整合スイッチャ。
【請求項６】
前記出力ポートに、プラズマディスプレイ、ＬＣＤモニタ、プロジェクタ等のデバイスを接続することを特徴とする請求項１に記載のマルチプルビデオ信号整合スイッチャ。
【請求項７】
前記ファンクションキーが、リモートコントロールによって操作されることを特徴とする請求項４に記載のマルチプルビデオ信号整合スイッチャ。
【考案の詳細な説明】
【技術分野】
【０００１】
この考案は、コンピュータ、またはＤＶＤプレーヤー等から入力するビデオ信号を中継して送信する出力装置を切替えたり複数の出力装置に分配したりするためのマルチプルビデオ信号整合スイッチャに関するものである。
【背景技術】
【０００２】
ビデオ設備が、市場における主要な製品となっている。ビデオ設備を介してビデオ信号を整合する効果を達成することができる。例えば監視システム、ビデオ信号分配器などは、生活の中において大幅に応用されている。
【０００３】
目下、市販されるセットトップボックスのハードウェアは、ビデオ信号切替器（またはモニタ共有器）と、ビデオ信号分配器を具える。ビデオ信号分配器は、システムの制御室からの制御に応用されるか、または複数のコンピュータで一つの出力装置を共有する場合に応用され、ビデオ信号分配器は、主に展示会場等で重複した映像を表示する場合に用いられ、一台のコンピュータが出力する信号を複製して複数のモニタに出力する。
【０００４】
前述する両装置の用途の範囲が、比較的に固定になる。仮に複数のコンピュータを同時に利用して複数の出力装置を選択して信号を出力する場合、例えば研修などでプロジェクタ、コンピュータを操作する場合など、この場合、ビデオ信号切替器と、ビデオ信号分配器の両者を接続して同時に利用される。このため、多くのケーブルを利用して接続しなくてはならないので、使用上には極めて不便である。
【考案の開示】
【考案が解決しようとする課題】
【０００５】
この考案はビデオ信号切替器とビデオ信号分配器を整合することによって、マルチプルなビデオ信号を同時に入力し、複数の表示装置に出力してビデオ信号の分配、出力装置切替えの機能を達成するマルチプルビデオ信号整合スイッチャを提供することを課題とする。
【課題を解決するための手段】
【０００６】
そこで、本考案者は従来の技術に見られる欠点に鑑み鋭意研究を重ねた結果、ビデオ信号切替器と、ビデオ信号分配器とを一体に整合してなり、電源開閉器と、複数の入力ポートと、複数の出力ポートとを設け、且つ該電源開閉器とが、該入力ポートと、該出力ポートとに電気的に接続する制御ユニットを設けてなり、該制御ユニットが、制御回路と、電源回路と、コンバート回路と、複数のマルチプレクス回路と、複数のバランス回路を含んでなり、該電源開閉器と、該電源回路とが、該制御回路に直接接続し、該電源開閉器のスイッチングによって該電源回路を起動して、該制御回路が作動する場合に必要とする電力を提供し、該コンバート回路と、該マルチプレクス回路と、該バランス回路とが、それぞれ該制御回路と電気的に接続し、該入力ポートと、該コンバート回路が、該マルチプレクス回路に電気的に接続し、該出力ポートと該バランス回路とが、電気的に接続し、該コンバート回路が、該入力ポートと該マルチプレクス回路との間に位置するマルチプルビデオ信号整合スイッチャによって課題を解決できる点に着眼し、かかる知見に基づいて本発明を完成させた。
【０００７】
以下、この考案について具体的に説明する。
請求項１に記載するマルチプルビデオ信号整合スイッチャは、ビデオ信号切替器と、ビデオ信号分配器とを一体に整合してなり、電源開閉器と、複数の入力ポートと、複数の出力ポートとを設け、且つ該電源開閉器と、該入力ポートと、該出力ポートとに電気的に接続する制御ユニットを設けてなり、該制御ユニットが、制御回路と、電源回路と、コンバート回路と、複数のマルチプレクス回路と、複数のバランス回路とを含んでなり、該電源開閉器と、該電源回路とが、該制御回路に直接接続し、該電源開閉器のスイッチングによって該電源回路を起動して、該制御回路が作動する場合に必要とする電力を提供し、該コンバート回路と、該マルチプレクス回路と、該バランス回路とが、それぞれ該制御回路とに電気的に接続し、該入力ポートと、該コンバート回路が、該マルチプレクス回路に電気的に接続し、該出力ポートと該バランス回路とが、電気的に接続し、該コンバート回路が、該入力ポートと該マルチプレクス回路との間に位置する。
【０００８】
請求項２に記載するマルチプルビデオ信号整合スイッチャは、請求項１における制御回路に、該整合スイッチャの外部に凸設される少なくとも一以上の発光ユニットが、電気的に接続する。
【０００９】
請求項３に記載するマルチプルビデオ信号整合スイッチャは、請求項２における発光ユニットが発光ダイオードである。
【００１０】
請求項４に記載するマルチプルビデオ信号整合スイッチャは、請求項１における整合スイッチャが、該制御ユニットに電気的に接続して、ビデオ信号の切替モード、もしくは分配モードを選択するための少なくとも一以上のファンクションキーを具える。
【００１１】
請求項５に記載するマルチプルビデオ信号整合スイッチャは、請求項１における入力ポートにＤＶＤプレーヤー、パーソナルコンピュータ等のデバイスを接続する。
【００１２】
請求項６に記載するマルチプルビデオ信号整合スイッチャは、請求項１における出力ポートに、プラズマディスプレイ、ＬＣＤモニタ、プロジェクタ等のデバイスを接続する。
【００１３】
請求項７に記載するマルチプルビデオ信号整合スイッチャは、請求項４におけるファンクションキーが、リモートコントロールによって操作される。
【考案の効果】
【００１４】
本考案によるマルチプルビデオ信号整合スイッチャは、ビデオ信号切替器とビデオ信号分配器を一体に整合し、ファンクションキーでモードの切替えを行うことによって、従来の技術に見られるように両者をケーブルで接続することによって発生する不便が解消されて、使用上に便利であるという利点を有する。
【考案を実施するための最良の形態】
【００１５】
この考案は、ビデオ信号切替器とビデオ信号分配器を一体に整合してなるマルチプルビデオ信号制御スイッチャを提供するものであって、電源開閉器と、複数の入力ポートと、複数の出力ポートとを設け、且つ該電源開閉器とが、該入力ポートと、該出力ポートとに電気的に接続する制御ユニットを設けてなり、該制御ユニットが、制御回路と、電源回路と、コンバート回路と、複数のマルチプレクス回路と、複数のバランス回路とを含んでなり、該電源開閉器と、該電源回路とが、該制御回路に直接接続し、該電源開閉器のスイッチングによって該電源回路を起動して、該制御回路が作動する場合に必要とする電力を提供し、該コンバート回路と、該マルチプレクス回路と、該バランス回路とが、それぞれ該制御回路とに電気的に接続し、該入力ポートと、該コンバート回路が、該マルチプレクス回路に電気的に接続し、該出力ポートと該バランス回路とが、電気的に接続し、該コンバート回路が、該入力ポートと該マルチプレクス回路との間に位置するように構成し、個々のビデオ信号切替器とビデオ信号分配器とをケーブルで接続して使用する場合に発生する不便を解消する。
係る構成のマルチプルビデオ信号制御スイッチャについて、その構造と特徴を詳述するために具体的な実施例を挙げて、以下のように説明する。
【実施例】
【００１６】
図１、２に、この考案によるマルチプルビデオ信号整合スイッチャを開示する。図面によれば、ビデオ信号切替器と、ビデオ信号分配器とを一体に整合してなる整合スイッチャ１０は、電源開閉器１１、複数の入力ポート１２、及び複数の出力ポート１３を有する。また、図３に開示するように、整合スイッチャ１０内には、電源開閉器１１、入力ポート１２、及び出力ポート１３と電気的に接続する制御ユニット２０を設ける。制御ユニット２０は、制御回路２１、電源回路２２、コンバート回路２３、複数のマルチプレクス回路２４、及び複数のバランス回路２５を含む。
【００１７】
電源開閉器１１と電源回路２２は、それぞれ直接制御回路２１に接続し、電源開閉器１１のスイッチングによって電源回路２２を起動し、制御回路２１が作動する場合に必要とする電力を提供する。コンバート回路２３、マルチプレクス回路２４、及びバランス回路２５は、それぞれ制御回路２１と電気的に接続し、入力ポート１２とコンバート回路２３はマルチプレクス回路２４と電気的に接続する。また、出力ポート１３はバランス回路２５と電気的に接続する。
【００１８】
コンバート回路２３は、入力ポート１２とマルチプレクス回路２４との間に位置し、Ｓ−Ｖｉｄｅｏ信号をＲＧＢ信号に転換する。よって、入力ポート１２に入力した信号がＳ−Ｖｉｄｅｏである場合、コンバート回路２３によって該Ｓ−Ｖｉｄｅｏ信号をＲＧＢ信号に転換し、更にマルチプレクス回路２４に伝送する。
【００１９】
入力ポート１２にビデオ信号が入力した場合、制御ユニット２０内のマルチプレクス回路２４によって入力した信号を複数のバランス回路２５に対して同時に送信する。更に、それぞれのバランス回路２５によってそれぞれの出力ポート１３に送信し、信号が出力ポート１３を介して伝送される。
【００２０】
制御回路２１は、更に発光ユニット２６に電気的に接続する。発光ユニット２６は、整合スイッチャ１０の外部に凸設されるする。実施例において、発光ユニット２６は発光ダイオードを用いる。電源開閉器１１を操作して電源をＯＮにすると、制御回路２１によって発光ユニット２６を起動し、発光ユニット２６が発光することからユーザーに整合スイッチャ１０が既に起動した状態にあることを知らせる。
【００２１】
また、整合スイッチャ１０には更にファンクションキー１４を設ける。ファンクションキー１４は、整合スイッチャ１０内の制御ユニット２０と電気的に接続する。ユーザーは、ファンクションキー１４を操作することによって、必要とする分配、もしくは共有モードを選択することができる。当然のことながら、ファンクションキー１４は、リモートコントロール方式で操作してもよい。
【００２２】
図４、５に開示するように、整合スイッチャ１０を切替器として使用する場合には、入力ポート１２がＤＶＤプレーヤー、パーソナルコンピュータ等の整合スイッチャ１０に信号を入力する装置と接続する。出力ポート１３がＬＣＤモニタ等の出力装置を接続する。また、整合スイッチャ１０を分配器として使用する場合には、入力ポート１２がパーソナルコンピュータ等の整合スイッチャ１０に信号を入力とする装置と接続する。出力ポート１３にはプラズマディスプレイ、ＬＣＤモニタ、プロジェクタ等の出力装置を接続する。
【００２３】
従って、この考案による整合スイッチャ１０はマルチプルな信号を受信し、各種異なる入力、出力装置を跨いで使用することができる。その他用途は、例えば遠距離（３０〜６５ｍ、ビデオ信号を強化する機能を内蔵する。例えば公共の展示システム、大型の展示会場、会議室、劇場など）、中距離（１０〜３０ｍ、例えば中型の展示会場、レストラン、劇場、会議室、屋外の催し物、大教室など）、近距離（１０ｍ以下、例えば会議室、小型の展示会場、教室等）において、情報の展示、会議、展覧会、催し物、教学など様々なの用途に応じて使用することができる。
【００２４】
また、整合スイッチャ１０のファンクションキー１４は、次に掲げる３種類のモードを選択することができる。
１．平行モード（Ｐａｒａｌｌｅｌ  Ｍｏｄｅ）。単一の信号を入力する装置が単一の出力装置に対応するモードである。
２．共有モード（Ｍｉｒｒｏｒ  Ｍｏｄｅ）。単一の信号を入力する装置が複数の出力装置に対応するモードである。
３．ライブモード（Ｌｉｖｅ  Ｍｏｄｅ）。複数の信号を入力する装置が複数の出力装置に対応するモードであって、生放送、もしくは照合するデータの伝送に適したモードである。
【００２５】
整合スイッチャ１０を切替器として使用する場合、１：１、２：１、３：１、４：１の機能を発揮することができ、分配器として用いる場合、１：２、１：３、１：４の機能を発揮することができる。また、マルチプル分配器として使用する場合、２：３、３：３、４：３、４：４などの機能を達成することができる。
【００２６】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２７】
【図１】この考案によるマルチプルビデオ信号整合スイッチャの外観を示した斜視図である。
【図２】図１に開示するマルチプルビデオ整合スイッチャを他の方向から見た斜視図である。
【図３】この考案における制御ユニットの構造を示したブロック図である。
【図４】この考案によるマルチプルビデオ信号整合スイッチャをビデオ信号切替器として使用する場合の説明図である。
【図５】この考案によるマルチプルビデオ信号整合スイッチャをビデオ信号分配器として使用する場合の説明図である。
【符号の説明】
【００２８】
１０        整合スイッチャ
１１        電源開閉器
１２        入力ポート
１３        出力ポート
１４        ファンクションキー
２０        制御ユニット
２１        制御回路
２２        電源回路
２３        コンバート回路
２４        マルチプレクス回路
２５        バランス回路
２６        発光ユニット
【図１】
0003119348.tif 000003
【図２】
0003119348.tif 000004
【図３】
0003119348.tif 000005
【図４】
0003119348.tif 000006
【図５】
0003119348.tif 000007